(57)【特許請求の範囲】
【請求項１】
ループアンテナと外部取り付け型アンテナ用接続部とを具備する無線選択呼出受信機において、
前記ループアンテナの開口内に前記外部取り付け型アンテナ用接続部を配置したことを特徴とする無線選択呼出受信機。
【請求項２】
前記外部取り付け型アンテナ用接続部を、前記ループアンテナと前記受信機の基板との接続部から距離を空けた位置に配置したことを特徴とする請求項１に記載の無線選択呼出受信機。
【請求項３】
ループアンテナと外部取り付け型アンテナ用接続部とを具備する無線選択呼出受信機において、
前記ループアンテナの開口面に対する垂直線上の前記開口面から離れた位置に前記外部取り付け型アンテナ用接続部を配置したことを特徴とする無線選択呼出受信機。
【請求項４】
ループアンテナと外部取り付け型アンテナ用接続部とを具備する無線選択呼出受信機において、
前記ループアンテナの開口面に対する垂直線と平行する線であって、且つ、前記ループアンテナと前記受信機の基板との接続部を通る線の延長線上に前記外部取り付け型アンテナ用接続部を配置したことを特徴とした無線選択呼出受信機。
【発明の詳細な説明】
【０００１】
【発明の属する技術分野】
本発明は、ループアンテナ及び外部取り付け型アンテナの双方で受信が可能な無線選択呼出受信機に関し、特に、ループアンテナの開口面積が大きく取れるようにしたものである。
【０００２】
【従来の技術】
無線選択呼出受信機は、普段携帯して用いるため、小型化されており、この受信機のアンテナとして、受信機に内蔵できるループアンテナが多用されている。このループアンテナで高受信性能を実現するためには、ループアンテナの開口面積をできるだけ大きく取ることが必要である。
【０００３】
また、一般的にループアンテナは、近接物、特に金属物の影響によりアンテナゲインが低減し、ループアンテナの受信性能が劣化するため、ループアンテナ付近には、部品等の配置を避ける必要がある。
【０００４】
従来、この無線選択呼出受信機では、必要に応じて外部取り付け型アンテナを接続し、内蔵するループアンテナと外部取り付け型アンテナの双方のアンテナで受信できるようにしたものが知られている。
【０００５】
この種の無線選択呼出受信機は、図４（ａ）の斜視図及び図４（ｂ）の上面図に示すように、基板15の一端に固定されたループアンテナ素子11と、ループアンテナ素子11を基板15の回路に接続する接続部16と、基板15の端にループアンテナ素子11と並んで固定された外部取り付け型アンテナ用コネクタ12とを具備しており、この外部取り付け型アンテナ用コネクタ12に、コネクタ17及びケーブル14を介して、外部取り付け型アンテナ13が接続される。
【０００６】
この無線選択呼出受信機では、ループアンテナ素子11がコネクタ12の影響を受けないように、コネクタ12とループアンテナ素子11及び接続部16とが距離を置くように配置されている。
【０００７】
【発明が解決しようとする課題】
しかし、従来の無線選択呼出受信機では、ループアンテナ11の開口の外に外部取り付け型アンテナ用コネクタ12を配置しているため、このコネクタ12の分だけループアンテナ11の開口面積を縮小しなければならず、そのため、ループアンテナ11のゲインが低減し、ループアンテナ11での受信性能が劣化するという問題点があった。
【０００８】
本発明は、こうした従来の問題点を解決するものであり、ループアンテナの開口面積を大きく取ることができるように、外部取り付け型アンテナの接続部を配置した無線選択呼出受信機を提供することを目的としている。
【０００９】
【課題を解決するための手段】
そこで、本発明の無線選択呼出受信機では、外部取り付け型アンテナ用接続部を、ループアンテナの開口内に配置したり、その開口面の垂直線上に配置したり、または、ループアンテナと受信機の基板との接続部の後方に配置している。
【００１０】
そのため、外部取り付け型アンテナ用接続部が在ってもループアンテナの開口面積を大きく取ることができ、ループアンテナの高い受信性能を実現することができる。
【００１１】
【発明の実施の形態】
本発明の請求項１に記載の発明は、ループアンテナと外部取り付け型アンテナ用接続部とを具備する無線選択呼出受信機において、ループアンテナの開口内に外部取り付け型アンテナ用接続部を配置したものであり、ループアンテナの開口面積を縮小すること無く、外部取り付け型アンテナ用接続部を配置することができ、ループアンテナの高い受信性能を実現することができる。
【００１２】
請求項２に記載の発明は、この外部取り付け型アンテナ用接続部を、ループアンテナと受信機の基板との接続部から距離を空けた位置に配置したものであり、ループアンテナの開口面積を大きく保ちながら、ループアンテナの近接物による影響を軽減することができる。
【００１３】
請求項３に記載の発明は、ループアンテナと外部取り付け型アンテナ用接続部とを具備する無線選択呼出受信機において、ループアンテナの開口面に対する垂直線上の開口面から離れた位置に外部取り付け型アンテナ用接続部を配置したものであり、ループアンテナの開口面積の拡大を図ることができ、また、ループアンテナの近接物による影響を軽減することができる。
【００１４】
請求項４に記載の発明は、ループアンテナと外部取り付け型アンテナ用接続部とを具備する無線選択呼出受信機において、ループアンテナの開口面に対する垂直線と平行する線であって、且つ、ループアンテナと受信機の基板との接続部を通る線の延長線上に外部取り付け型アンテナ用接続部を配置したものであり、ループアンテナと受信機の基板との接続部の後方に外部取り付け型アンテナ用接続部を配置することによって、ループアンテナの開口面積の拡大を図ることができる。
【００１５】
以下、本発明の実施の形態について、図面を用いて説明する。
【００１６】
（第１の実施形態）
第１の実施形態の無線選択呼出受信機は、図１（ａ）の斜視図及び図１（ｂ）の上面図に示すように、基板15の一端に固定されたループアンテナ素子11と、ループアンテナ素子11を基板15の回路に接続する接続部16と、ループアンテナ素子11の開口部の中の基板15端部に固定された外部取り付け型アンテナ用コネクタ12とを具備しており、この外部取り付け型アンテナ用コネクタ12に、コネクタ17及びケーブル14を介して、外部取り付け型アンテナ13が接続される。
【００１７】
この無線選択呼出受信機では、外部取り付け型アンテナ用コネクタ12が、ループアンテナ素子11の開口部内で、接続部16より距離を置いた位置に配置されている。この接続部16と外部取り付け型アンテナ用コネクタ12との距離は４ｍｍ以上であることが望ましい。
【００１８】
このように、外部取り付け型アンテナ用コネクタ12をループアンテナ11の開口部内に配置することによって、ループアンテナ11の開口面積を拡大することができる。また、外部取り付け型アンテナ用コネクタ12を、アンテナ特性に著しく影響を及ぼす、ループアンテナ11と基板15との接続部16から距離を隔てて配置しているため、ループアンテナ11の近接物による影響を軽減できる。そのため、この構成により、ループアンテナ11のゲインを上げることが可能となる。
【００１９】
なお、この実施形態では、外部取り付け型アンテナ用コネクタ12を使用して、外部取り付け型アンテナ13を基板15の回路に接続しているが、外部取り付け型アンテナ13に接続するケーブル14と基板15とを半田で直付けするなど、他の接続方法により外部取り付け型アンテナ13と基板15との接続を図っても良い。
【００２０】
（第２の実施形態）
第２の実施形態の無線選択呼出受信機は、図２（ａ）の斜視図及び図２（ｂ）の上面図に示すように、外部取り付け型アンテナ用コネクタ12を、ループアンテナ素子11の開口部から離れた基板15上の位置に配置している。ループアンテナ素子11の開口部の大きさは第１の実施形態と同じであり、外部取り付け型アンテナ用コネクタ12は、ループアンテナ素子11の開口面に対する垂直線上に位置している。
【００２１】
外部取り付け型アンテナ13は、ケーブル14をループアンテナ素子11の開口内を通し、コネクタ17を外部取り付け型アンテナ用コネクタ12と接続することにより、基板15の回路に接続される。
【００２２】
この無線選択呼出受信機では、外部取り付け型アンテナ用コネクタ12をループアンテナ素子11の開口面に対する垂直線上に配置しているため、ループアンテナの開口面積を大きく取ることができ、また、外部取り付け型アンテナ用コネクタ12をループアンテナ素子11及び接続部16から離して配置することができる。そのため、この接続部16による影響を殆ど受けずに、ループアンテナのゲインを高めることができる。
【００２３】
なお、この実施形態では、ケーブル14をループアンテナ素子11の開口内を通して、コネクタ17を外部取り付け型アンテナ用コネクタ12と接続しているが、ケーブル14をループアンテナ素子11の開口部の左右または反対側など、どの方向から引き出すようにしても良い。
【００２４】
また、外部取り付け型アンテナ13と基板15の回路との接続は、外部取り付け型アンテナ13に接続するケーブル14と基板15とを半田で直付けするなど、他の接続方法を用いても良い。
【００２５】
（第３の実施形態）
第３の実施形態の無線選択呼出受信機では、図３（ａ）の斜視図及び図３（ｂ）の上面図に示すように、基板15のループアンテナ素子11の開口部が設けられている端面から見て、外部取り付け型アンテナ用コネクタ12を接続部16の後方に当たる位置に配置している。ループアンテナ素子11の開口部の大きさは第１の実施形態と同じである。また、外部取り付け型アンテナ13は、基板15のループアンテナ素子11の開口部が設けられた端面と直交する端面の側から、コネクタ17及びケーブル14を介して、外部取り付け型アンテナ用コネクタ12に接続している。
【００２６】
この無線選択呼出受信機では、外部取り付け型アンテナ用コネクタ12を接続部16の後方に、接続部16から距離を置いて配置しているため、ループアンテナ15の開口面積を拡大することができ、また、ループアンテナ11の近接物による影響を軽減することができる。そのため、この接続部16による影響を殆ど受けずに、ループアンテナのゲインを高めることができる。
【００２７】
なお、この実施形態では、外部取り付け型アンテナ用コネクタ12におけるコネクタ17との接続面が、ループアンテナ素子11の開口面と直交する方向を向いているが、この接続面は、どの方向を向いても良く、外部取り付け型アンテナ13をどの方向から接続するようにしても良い。
【００２８】
また、外部取り付け型アンテナ13と基板15の回路との接続は、外部取り付け型アンテナ13に接続するケーブル14と基板15とを半田で直付けするなど、他の接続方法を用いても良い。
【００２９】
【発明の効果】
以上の説明から明らかなように、本発明の無線選択呼出受信機は、限られた寸法の筐体内に外部取り付け型アンテナ用接続部を配置しながら、ループアンテナの開口面積を広く取ることができ、ループアンテナでの高い受信性能を実現することができる。
【図面の簡単な説明】
【図１】本発明の第１の実施形態における無線選択呼出受信機の構成図、
【図２】本発明の第２の実施形態における無線選択呼出受信機の構成図、
【図３】本発明の第３の実施形態における無線選択呼出受信機の構成図、
【図４】従来の無線選択呼出受信機の構成図である。
【符号の説明】
11  ループアンテナ素子
12  外部取り付け型アンテナ用コネクタ
13  外部取り付け型アンテナ
14  外部取り付け型アンテナ用接続ケーブル
15  基板
16  ループアンテナ素子と基板との接続部
17  外部取り付け型アンテナ用接続ケーブル側コネクタ
【図１】
0003992368.tif 000002
【図２】
0003992368.tif 000003
【図３】
0003992368.tif 000004
【図４】
0003992368.tif 000005